(57)【特許請求の範囲】
【請求項１】
原料把持部を天地方向の天の位置、種結晶把持部を天地方向の地の位置に配置させた上で両者を近接させることにより、前記原料把持部に把持された原料と前記種結晶把持部に把持された種結晶とを近接させ、加熱部により溶融帯域を形成し、当該溶融帯域を冷却することにより単結晶を製造する単結晶製造装置において、
前記加熱部は、赤外線発生手段を複数有し、かつ、反射手段として複数の回転楕円鏡を有し、当該回転楕円鏡は共通の焦点を有しつつ、もう一方の焦点は当該共通の焦点から見て天地方向の天の方向に存在するとともに、前記赤外線発生手段は、当該もう一方の焦点に配置されており、
前記回転楕円鏡の傾斜角は、前記回転楕円鏡の中心軸を水平とした配置から天地方向の地の方向に向かって１０度以上２０度以下であり、
天地方向に移動自在な赤外線の遮蔽筒を備え、かつ、前記原料把持部にて把持される原料における少なくとも一部を当該遮蔽筒によって水平方向に包囲自在であり、かつ、当該遮蔽筒が、前記赤外線発生手段から照射される赤外線を遮蔽することにより溶融帯域の内部に陰の部分を形成し、当該溶融帯域の冷却具合および形状を調節する冷却具合調節部を有する、単結晶製造装置。
【請求項２】
前記赤外線発生手段が、２．５ｋＷ以上のハロゲンランプ、または、デフォーカス自在な配置のキセノンアークランプである、請求項１に記載の単結晶製造装置。
【請求項３】
製造される単結晶の直径は４５ｍｍよりも大きい、請求項１または２に記載の単結晶製造装置。
【請求項４】
前記遮蔽筒の下端部が、天地方向において前記共通の焦点と前記もう一方の焦点との間に存在するように、前記遮蔽筒は配置される、請求項１ないし３のいずれかに記載の単結晶製造装置。  
【請求項５】
原料把持部を天地方向の天の位置、種結晶把持部を天地方向の地の位置に配置させた上で両者を近接させることにより、前記原料把持部に把持された原料と前記種結晶把持部に把持された種結晶とを近接させ、加熱部により溶融帯域を形成し、当該溶融帯域を冷却することにより単結晶を製造する単結晶製造方法において、
前記加熱部は、赤外線発生手段を複数有し、かつ、反射手段として複数の回転楕円鏡を有し、当該回転楕円鏡は共通の焦点を有しつつ、もう一方の焦点は当該共通の焦点から見て天地方向の天の方向に存在するとともに、前記赤外線発生手段は、当該もう一方の焦点に配置されており、
前記回転楕円鏡の傾斜角は、前記回転楕円鏡の中心軸を水平とした配置から天地方向の地の方向に向かって１０度以上２０度以下であり、
単結晶を製造する際に、前記原料把持部にて把持される原料における少なくとも一部を水平方向に包囲するような位置に赤外線の遮蔽筒を配置し、前記赤外線発生手段から照射される赤外線を遮蔽することにより溶融帯域の内部に陰の部分を形成し、当該溶融帯域の冷却具合および形状を調節してネッキングを形成する、単結晶製造方法。
【請求項６】
前記赤外線発生手段が、２．５ｋＷ以上のハロゲンランプ、または、デフォーカス自在な配置のキセノンアークランプである、請求項５に記載の単結晶製造方法。
【請求項７】
製造される単結晶の直径は４５ｍｍよりも大きい、請求項５または６に記載の単結晶製造方法。
【請求項８】
溶融帯域の冷却具合を調節して原料と溶融帯域との接触を解き、当該溶融帯域または当該溶融帯域が冷却されて成長した結晶に対し、溶融された原料の液滴を供給する、請求項５ないし７のいずれかに記載の単結晶製造方法。
【請求項９】
前記遮蔽筒の下端部を、天地方向において前記共通の焦点と前記もう一方の焦点との間に存在するように、前記遮蔽筒を配置する、請求項５ないし８のいずれかに記載の単結晶製造方法。 
【発明の詳細な説明】
【技術分野】
【０００１】
本発明は、単結晶製造装置および単結晶製造方法に関し、詳しくは、赤外線を用いて原料を溶融させることにより単結晶を製造する装置および方法に関する。
【背景技術】
【０００２】
蛍光体、発光素子、放射線シンチレーターおよび固体レーザー等の機能性酸化物は高融点を有する物が多い。
【０００３】
一般に、このような物質の単結晶は産業的要望からチョクラルスキー法、ブリッジマン法およびＥＦＧ法などのるつぼを用いた融液成長法により作成される。
【０００４】
このときのるつぼとしては、高融点金属であるイリジウムが多く用いられる。しかし、イリジウムは非常に高価であるほか、るつぼが変形した際の改鋳にも多大な費用がかかり、デバイスの高価格化の要因となっている。
【０００５】
また、イリジウムは高温で酸化イリジウムとなり揮発する。そのため、イリジウム製るつぼを使用して単結晶を製造する際、酸素分圧を低くしなければならない（例えば、非特許文献１参照）。
【０００６】
なお、特許文献１では、イリジウム製るつぼ及びダイを用いて酸化ガリウム単結晶の融液成長方法を提案している。ただ、酸化ガリウム単結晶の成長には高濃度酸素の存在が必要であり、単結晶の成長過程で酸化イリジウムが生じ、生じたイリジウム酸化が異相となり結晶内に混入し、結晶を汚染してしまう危険性がある。その一方、酸化イリジウムの発生を防止するために、結晶成長中に導入する酸素分圧を低く抑えると、酸化ガリウムが激しく蒸発し、結晶が成長する部分（成長部分）と融液との界面やるつぼ、ダイなどに付着し、単結晶内への異相の混入の原因となる。
【０００７】
酸化ガリウムは高耐圧半導体デバイスとして注目されているが、異相の混入は絶縁破壊等デバイスとしての性能に致命的な欠陥となりうることから、その除去は重要な課題である。
【０００８】
酸化ガリウムに限定されず、機能性高融点酸化物単結晶の製造では、るつぼ金属の保護のため、酸化物単結晶を製造するプロセスであるにも関わらず、低分圧に抑えられた酸素に窒素やアルゴンなどの不活性なガスを多く導入する。このため、結晶成長の際に酸素欠損や異相を生じやすく、製造されたデバイスにおいて材料の有する特性を十分に発揮できているとは言い難い。
【０００９】
るつぼを用いずにこれらの単結晶を作成する方法としては、赤外線ランプによる集中加熱を用いた溶融帯域法（フローティングゾーン法、以降、ＦＺ法とも言う。）が知られている（例えば特許文献２）。
【００１０】
特許文献２に記載の構成は、回転楕円面鏡の一方の焦点に赤外線ランプを配置している。そして、もう一方の焦点には棒状の原料が配置されている。その際、天地方向の天の方向（以降、上方とも言う。）に棒状の原料を配置し、天地方向の地の方向（以降、下方とも言う。）に棒状の種結晶を配置し、その上で、原料と種結晶とを近接させる。そして、赤外線ランプにより照射される赤外線を用いて溶融帯域を形成し、当該溶融帯域を冷却することにより、単結晶を成長させる。この方法では、比較的廉価な赤外線ランプを用いるため、かつ、単結晶製造装置にもかかわらずるつぼを用いないため、単結晶の製造コストを低減させることが可能となる。
【００１１】
ＦＺ法は以下の特徴を有しており、高純度の単結晶の研究目的で多く使用されている。
・るつぼを用いないため、るつぼから単結晶への汚染が無い。
・結晶成長中に導入する雰囲気の自由度が高い。
・集光加熱であるため結晶成長方向に対する温度勾配が大きく、多元素からなる単結晶の合成が容易である。
【００１２】
しかし、ＦＺ法は表面張力のみで融液を支持する浮遊溶融帯域から単結晶を成長させる方法であるため、るつぼを用いた融液成長法に比べて結晶成長工程が不安定である。このため、融液の安定化のために、溶融帯域と原料との界面、そして溶融帯域と種結晶との界面における温度勾配を急峻にすることが記載されており、それを目的とした様々な改良が提案されている（例えば、特許文献３〜４）。
【先行技術文献】
【特許文献】
【００１３】
【特許文献１】特開２０１３−１２４２１６号公報
【特許文献２】特開昭６３−２７４６８５号公報
【特許文献３】特許第２９８２６４２号公報
【特許文献４】特許第４７３８９６６号公報
【非特許文献】
【００１４】
【非特許文献１】日本金属学会誌第７５巻第１号（２０１１）１３頁右段
【発明の概要】
【発明が解決しようとする課題】
【００１５】
特許文献３および４に共通した課題として、溶融帯域と原料との界面、そして溶融帯域と種結晶との界面における温度勾配を急峻にすることが挙げられている。確かに、固液界面の温度勾配を急峻にすることができれば、溶融帯域を不用意に長くせずにすむため、製造される単結晶の品質に加え、溶融帯域の垂れにより下方に配置された種結晶を台無しにするおそれも少なくなる。
【００１６】
しかしながら、上記の単結晶製造方法が万能と言うわけではないことが、本発明者により見出された。本発明者により見出された課題は、以下の通りである。
【００１７】
（課題１）結晶成長の初期段階では小口径の種結晶から単結晶を成長することが多い。その様子を示したのが図１（ａ）（ｂ）である。仮に、例えば直径１ｍｍ以上の大口径の結晶を成長させなければならない場合、小口径の種結晶Ｓに口径を合わせた溶融帯域Ｍｌを形成する。その直後である結晶成長初期に、更に成長部分Ｍｃの口径を著しく細くして結晶欠陥や転位を除去するいわゆるネッキング工程を施さなければならない。その後、大口径の結晶を成長させるために、急いで結晶径の拡大を図る必要がある。ここで言う「ネッキングＭｃｎ」とは、成長させる結晶に対して水平方向に形成するくびれのことである。しかしながら、ネッキング工程を確実に行うことを可能とする構成はいずれの特許文献にも開示がない。そのため、特許文献３〜４では、確実にネッキング工程を施すことは困難と言わざるを得ず、結果として、大口径の良質な単結晶を製造することが困難である。
【００１８】
（課題２）また、本来、単結晶の成長においては、結晶成長部分の温度勾配は急峻であるよりも緩やかであるほうが良質の結晶育成が可能である。ところが、従来のＦＺ法にて単結晶を成長させる場合、溶融帯域の維持を念頭に置くと、固液界面（結晶成長部分）の温度勾配が急峻とならざるを得ない。そのため、良質な単結晶を成長させようとしても、その品質については自ずと限界が生じる。
【００１９】
上記の課題は、単結晶に求められる品質のレベルが飛躍的に向上していること、および、精密機器に求められる単結晶のサイズが徐々に大きくなっていることから、解決すべき喫緊の課題である。
【００２０】
本発明は、赤外線を用い、かつ、るつぼを用いないＦＺ法を採用しつつも、小口径から大口径に至るまでの結晶成長における溶融帯域の安定制御を可能とし、産業用途に適した大口径かつ長尺な高品質単結晶を製造可能とする単結晶製造装置および単結晶製造方法を提案することを課題とするものである。
【課題を解決するための手段】
【００２１】
上記の課題を解決すべく、本発明者は鋭意検討を行った。先ほど述べたように、本発明者の調べたところによると、本来、単結晶の成長においては、結晶成長部分の温度勾配は急峻であるよりも緩やかであるほうが良質の結晶育成が可能である。ただ、従来の発想だと、溶融帯域を維持しなければ、溶融帯域が崩れて下方に流れ落ちてしまい、落ちた先にある種結晶が台無しになる。
【００２２】
そこで本発明者は、発想を逆転させ、溶融帯域を維持する必要を無くする手法について思案した。溶融帯域を維持する必要が無くなれば、少なくとも上記の課題１および２を解決できる。
【００２３】
その結果、本発明者は、溶融帯域を維持することに腐心するのではなく、いっそのこと溶融帯域が冷却されて結晶となり、溶融帯域が原料から切り離されても構わないような構成を想到する方が得策なのではないか、という全く新たな発想を着想した。その着想を実現する一つの具体例が、図２（ａ）である。図２（ａ）は、後述の実施形態における溶融帯域Ｍｌの内部に対する冷却具合を示す図である。斜め上の方向に配置された赤外線発生手段４１から赤外線が照射されるようにする一方、当該赤外線を遮蔽筒５１により遮蔽する。斜め上の方向から照射される赤外線を遮蔽することにより、溶融帯域Ｍｌの内部に陰の部分（図中斜線部）が形成される。この陰の部分により、当該溶融帯域Ｍｌを内部からマイルドかつ迅速に冷却するという手法を想到した。
なお、図２（ｂ）には特許文献３と同様に、遮蔽壁を設けつつも赤外線発生手段４１を溶融帯域Ｍｌの水平方向に配置する場合を記載しているが、水平方向から赤外線を照射するため、溶融帯域Ｍｌの内部の陰の部分はほぼ形成されない。また、図２（ｃ）には特許文献４と同様に遮蔽筒５１を設けない場合を記載しているが、原料自体が赤外線を遮蔽することにより溶融帯域Ｍｌの内部はある程度冷却される。しかし、遮蔽筒５１を設けていないため、溶融帯域Ｍｌの内部の陰の部分の大きさは常にほぼ一定であり、当該溶融帯域Ｍｌの冷却具合は調節されない。
【００２４】
以上の知見に基づいて成された本発明の態様は、以下の通りである。
本発明の第１の態様は、
原料把持部を天地方向の天の位置、種結晶把持部を天地方向の地の位置に配置させた上で両者を近接させることにより、前記原料把持部に把持された原料と前記種結晶把持部に把持された種結晶とを近接させ、加熱部により溶融帯域を形成し、当該溶融帯域を冷却することにより単結晶を製造する単結晶製造装置において、
前記加熱部は、赤外線発生手段を複数有し、かつ、反射手段として複数の回転楕円鏡を有し、当該回転楕円鏡は共通の焦点を有しつつ、もう一方の焦点は当該共通の焦点から見て天地方向の天の方向に存在するとともに、前記赤外線発生手段は、当該もう一方の焦点に配置されており、
天地方向に移動自在な赤外線の遮蔽筒を備え、かつ、前記原料把持部にて把持される原料における少なくとも一部を当該遮蔽筒によって水平方向に包囲自在であり、かつ、当該遮蔽筒が、前記赤外線発生手段から照射される赤外線を遮蔽することにより溶融帯域の内部に陰の部分を形成し、当該溶融帯域の冷却具合および形状を調節する冷却具合調節部を有する、単結晶製造装置である。
本発明の第２の態様は、第１の態様に記載の発明において、
前記回転楕円鏡の傾斜角は、前記回転楕円鏡の中心軸を水平とした配置から天地方向の地の方向に向かって１０度以上２０度以下である。
本発明の第３の態様は、第１またま第２の態様に記載の発明において、
前記赤外線発生手段が、２．５ｋＷ以上のハロゲンランプ、または、デフォーカス自在な配置のキセノンアークランプである。
本発明の第４の態様は、第１ないし第３のいずれかの態様に記載の発明において、
製造される単結晶の直径は４５ｍｍよりも大きい。
本発明の第５の態様は、第１ないし第４のいずれかの態様に記載の発明において、
前記遮蔽筒の下端部が、天地方向において前記共通の焦点と前記もう一方の焦点との間に存在するように、前記遮蔽筒は配置される。
本発明の第６の態様は、
原料把持部を天地方向の天の位置、種結晶把持部を天地方向の地の位置に配置させた上で両者を近接させることにより、前記原料把持部に把持された原料と前記種結晶把持部に把持された種結晶とを近接させ、加熱部により溶融帯域を形成し、当該溶融帯域を冷却することにより単結晶を製造する単結晶製造方法において、
前記加熱部は、赤外線発生手段を複数有し、かつ、反射手段として複数の回転楕円鏡を有し、当該回転楕円鏡は共通の焦点を有しつつ、もう一方の焦点は当該共通の焦点から見て天地方向の天の方向に存在するとともに、前記赤外線発生手段は、当該もう一方の焦点に配置されており、
単結晶を製造する際に、前記原料把持部にて把持される原料における少なくとも一部を水平方向に包囲するような位置に赤外線の遮蔽筒を配置し、前記赤外線発生手段から照射される赤外線を遮蔽することにより溶融帯域の内部に陰の部分を形成し、当該溶融帯域の冷却具合および形状を調節してネッキングを形成する、単結晶製造方法である。
本発明の第７の態様は、第６の態様に記載の発明において、
前記回転楕円鏡の傾斜角は、前記回転楕円鏡の中心軸を水平とした配置から天地方向の地の方向に向かって１０度以上２０度以下である。
本発明の第８の態様は、第６または第７の態様に記載の発明において、
前記赤外線発生手段が、２．５ｋＷ以上のハロゲンランプ、または、デフォーカス自在な配置のキセノンアークランプである。
本発明の第９の態様は、第６ないし第８のいずれかの態様に記載の発明において、
製造される単結晶の直径は４５ｍｍよりも大きい。
本発明の第１０の態様は、第６ないし第９のいずれかの態様に記載の発明において、
溶融帯域の冷却具合を調節して原料と溶融帯域との接触を解き、当該溶融帯域または当該溶融帯域が冷却されて成長した結晶に対し、溶融された原料の液滴を供給する。
本発明の第１１の態様は、第６ないし第１０のいずれかの態様に記載の発明において、
前記遮蔽筒の下端部を、天地方向において前記共通の焦点と前記もう一方の焦点との間に存在するように、前記遮蔽筒を配置する。
【発明の効果】
【００２５】
本発明によれば、赤外線を用い、かつ、るつぼを用いないＦＺ法を採用しつつも、小口径から大口径に至るまでの結晶成長における溶融帯域の安定制御を可能とし、産業用途に適した大口径かつ長尺な高品質単結晶を製造可能とする。
【図面の簡単な説明】
【００２６】
【図１】本実施形態における単結晶製造の様子を示す概略説明図である。
【図２】溶融帯域の内部に対する冷却具合を示す図である。
【図３】本実施形態における単結晶製造装置の概略断面図である。
【図４】本実施形態における単結晶製造装置の内部の概略平面図である。
【図５】本実施形態における単結晶製造方法の手順を示したフローチャートである。
【発明を実施するための形態】
【００２７】
以下、本発明の実施の形態について、次の順序で説明を行う。
１．単結晶製造装置
１−Ａ）単結晶製造装置の概要
１−Ｂ）原料把持部
１−Ｃ）種結晶把持部
１−Ｄ）加熱部
１−Ｅ）冷却具合調節部
２．単結晶製造方法
２−Ａ）準備工程
２−Ｂ）加熱工程
２−Ｃ）単結晶成長工程
３．実施の形態による効果
４．先行技術文献と本発明との相違
５．変形例等
【００２８】
なお、以下に記載が無い内容については、ＦＺ法による単結晶製造装置およびその方法に関する技術における公知の構成（例えば特許文献２〜４に記載の構成）を適宜採用しても構わない。
【００２９】
＜１．単結晶製造装置＞
１−Ａ）単結晶製造装置の概要
本実施形態における単結晶製造装置１の基本的構成について、図３および図４を用いて説明する。図３は、本実施形態における単結晶製造装置１の概略断面図である。図４は、本実施形態における単結晶製造装置１の内部の概略平面図であり、種結晶把持部から上方へと見上げた時の図である。
【００３０】
本実施形態における単結晶製造装置１は、主に、以下の構成を有する。
・天地方向の天の位置に配置され、天地方向に移動自在かつ天地方向を中心軸として回転自在な原料把持部２
・天地方向の地の位置に配置され、天地方向に移動自在かつ天地方向を中心軸として回転自在な種結晶把持部３
・原料把持部２に把持された原料Ｍを加熱して原料Ｍを溶融させる加熱部４
・天地方向に移動自在な赤外線の遮蔽筒５１を備え、原料把持部２にて把持される原料Ｍにおける少なくとも一部を当該遮蔽筒５１によって水平方向に包囲自在であり、溶融帯域Ｍｌの内部に陰の部分を形成し、当該溶融帯域Ｍｌの冷却具合を調節する冷却具合調節部５
【００３１】
なお、単結晶を成長させる結晶成長炉は石英炉心管１１で密閉されており、下部シャフトフランジ１２、上部シャフトフランジ１３とともに炉内の成長雰囲気を外界から隔離している。炉内には雰囲気導入口１４から適切な組成の雰囲気を導入し、雰囲気排出口１５から排出し、炉内の雰囲気成分ならびに圧力を適切に保つことができる。
【００３２】
なお、上記の構成以外にも、単結晶製造装置１として用いられる構成が存在する。ただ、当該構成は、上記の特許文献２〜４に示されるような公知の構成を適宜用いても構わない。そのため、本実施形態においては、その説明を省略する。
以下、上記で列挙した各構成について主に説明する。
【００３３】
１−Ｂ）原料把持部２
本実施形態における原料把持部２は、天地方向の天の位置に配置されており、原料Ｍを把持自在な構成を有する。なお、本明細書における「原料を把持」は、その名の通り原料Ｍをしっかりと掴むことを意味し、るつぼに原料Ｍを単に収納することとは全く異なる。そのため、「原料把持部」という表現により、るつぼを用いないことは一義的に導き出される。本実施形態の原料把持部２は、原料Ｍを把持する「原料ホルダー２１」と原料ホルダー２１の回転軸および上下移動軸となる「上部シャフト２２」とで構成されている。なお、原料Ｍの形状としては棒状のもの（例えば直径２０ｍｍ、長さ２００ｍｍ）など、公知のものを用いても構わない。ただ、先に述べたように、本発明の原料ホルダー２１は、るつぼとは全く異なる。
【００３４】
また、原料ホルダー２１の素材としては、公知のものを用いても構わない。例えば、耐火材を用いても構わない。耐火材としては、アルミナ、ジルコニアおよびシリカ、さらにはそれらの混合物から構成されているものを用いても構わない。
【００３５】
そして、原料把持部２は、天地方向に移動自在かつ天地方向を中心軸として回転自在な構成を有している。本実施形態においては、上部シャフト２２が中心軸となる。なお、原料把持部２を駆動する駆動源の図示は省略する。
【００３６】
１−Ｃ）種結晶把持部３
本実施形態における種結晶把持部３は、天地方向の地の位置に配置されており、種結晶Ｓを把持自在な構成を有し、例えば種結晶ホルダー３１と下部シャフト３２とを有する。なお、種結晶把持部３は、公知の構成を採用しても構わない。
【００３７】
なお、本実施形態における種結晶Ｓの形状は、最終的に良質な単結晶を製造可能なものならば任意で構わない。本実施形態においては、従来と同様、棒状の種結晶Ｓを用いる場合について述べる。また、種結晶Ｓの結晶構造としては単結晶がもちろん好ましいが、単結晶が入手できない場合には、原材料と同質のセラミックスや組成や結晶構造が目的の単結晶に類似している単結晶を用いても構わない。
【００３８】
なお、種結晶把持部３も、天地方向に移動自在かつ天地方向を中心軸として回転自在な構成を有している。なお、種結晶把持部３を駆動する駆動源の図示は省略する。
【００３９】
なお、本実施形態においては、原料把持部２も種結晶把持部３も共に天地方向に移動自在かつ天地方向を中心軸として回転自在な例を挙げた。その一方、原料把持部２および種結晶把持部３のうちどちらか一方が天地方向に移動自在な構成を採用しても構わない。ＦＺ法において単結晶を製造するには、原料Ｍと種結晶Ｓを接触させた後に両者を離間する必要がある。そのため、一方が天地方向に移動自在であれば済む。ただ、良質な単結晶を欠陥なく製造するためには、原料把持部２も種結晶把持部３も共に天地方向に移動自在であるのが非常に好ましい。また、両者とも天地方向を中心軸として回転自在でなくとも構わないが、同じく、両者とも、良質な単結晶を欠陥なく製造するためには回転自在な構成を有するのが好ましい。
その他の構成については、原料把持部２と同様の構成を適宜採用しても構わない。
【００４０】
１−Ｄ）加熱部４
本実施形態における加熱部４は、赤外線発生手段４１ａ〜ｄを有し、原料把持部２に把持された原料Ｍを加熱して原料Ｍを溶融させる機能を有する。また、本実施形態における加熱部４は、赤外線発生手段４１の他に、赤外線を原料Ｍへと反射して照射効率を向上させるための反射手段４２ａ〜ｄも有している。
【００４１】
図３に示すように、まず、反射手段４２としての回転楕円鏡４２ａ，４２ｂは、共通の焦点Ｆ０を有している。それに加え、もう一方の焦点として、回転楕円鏡４２ａは焦点Ｆ１を、焦点Ｆ０の上方に有している。同様に、回転楕円鏡４２ｂは焦点Ｆ２を、焦点Ｆ０の上方に有している。なお、ここでは赤外線発生手段４１ａ〜ｄのうち４１ａ，４１ｂ、および、回転楕円鏡４２ａ〜ｄのうち４２ａ，４２ｂを例にとって説明する。以降、まとめて称するときには赤外線発生手段４１、回転楕円鏡４２と言う。また、本実施形態においては焦点Ｆ１〜４が存在するが、代表してＦ１を記載する。
【００４２】
焦点Ｆ１およびＦ２にはそれぞれ赤外線発生手段４１ａ，４１ｂが配置されている。赤外線加熱発生手段そのものは、公知の構成を採用しても構わない。例えば、ハロゲンランプもしくはキセノンアークランプあるいはその併用で構わない。回転楕円鏡４２の共通の焦点Ｆ０が被加熱部分となり、この被加熱部分に、溶融した原料Ｍと種結晶Ｓとが接触することにより形成される溶融帯域Ｍｌを配置するような構成を採用する。そして、溶融帯域Ｍｌが被加熱部分からずれるように、原料把持部２と種結晶把持部３とを互いに離間させることにより溶融帯域Ｍｌを冷却させ、単結晶を成長させる。
【００４３】
また、本実施形態における特徴の一つに、赤外線発生手段４１を、溶融帯域Ｍｌよりも天地方向の天の位置（上方）に配置していることがある。別の言い方をすると、各回転楕円鏡４２の共通の焦点Ｆ０よりも、各赤外線発生手段４１が上方に配置されるように赤外線発生手段４１および回転楕円鏡４２を構成することにより、以下の効果を奏する。
【００４４】
まず、原料Ｍの下端と種結晶Ｓとを接触させ、赤外線を用いた加熱により溶融帯域Ｍｌを形成する。この際、種結晶Ｓも溶融している。その後、原料Ｍと種結晶Ｓと間の距離を広げつつ、溶融帯域Ｍｌを赤外線の集光部分（Ｆ０）からずらすことにより、これを冷却する。ただ、上方に原料把持部２を配置する関係上、溶融帯域Ｍｌから単結晶へと成長する成長部分Ｍｃ（以降、単結晶についてもＭｃと呼ぶ場合がある。）が下方に移動するように、原料把持部２および種結晶把持部３を相対移動させる。
【００４５】
もし、赤外線発生手段４１を、溶融帯域Ｍｌの水平位置に配置していた場合、原料Ｍの固体部分Ｍｓの側面を近距離から赤外線により照射される。そのため、赤外線発生手段４１と最も近い部分の温度が著しく高くなってしまう。これは別の言い方をすると、焦点Ｆ０から溶融帯域Ｍｌが外れると、著しく高い温度から一気に温度が低下してしまうことになる。そうなると、溶融帯域Ｍｌひいては成長部分Ｍｃは一気に冷却されてしまい、ひいては単結晶の成長において温度勾配が急峻となってしまう。
しかしながら本実施形態のように、赤外線発生手段４１を溶融帯域Ｍｌよりも上方に配置すると、原料Ｍの固体部分Ｍｓの側面は近距離からの照射ではなくなる。その結果、焦点Ｆ０から溶融帯域Ｍｌが外れても、ほどほどに高い温度から温度が低下してしまう程度に温度勾配を抑えることができる。そのため、単結晶の成長において温度勾配が緩くなる。
以下、温度勾配を緩めることの有効性について説明する。
【００４６】
本来、製造の際の困難性を度外視すれば、良質な単結晶を製造するためには、原料Ｍにおける溶融帯域Ｍｌを適切に維持する必要がある。また、原料Ｍの内部における急峻な温度勾配は、結晶格子の歪みを招来するなど不具合が生じるおそれが増大するため、本来は好ましくない。
【００４７】
しかしながら、従来だと、特許文献２〜４に記載されているように、温度勾配を急峻にしないと、溶融帯域Ｍｌが膨張したり長くなってしまったりして種結晶Ｓまで垂れが生じてしまう。そのため、製造の際の困難性を考慮に入れると、原料Ｍの内部において急峻な温度勾配を設けざるを得なかったという事情がある。
【００４８】
その一方、本実施形態のように、そもそも溶融帯域Ｍｌを維持することを必須でなくしてしまえば、温度勾配を急峻にする必然性がなくなる。そうなると、単結晶の質に着目し、原料Ｍの内部における温度勾配を緩め、原料Ｍにおける溶融帯域Ｍｌを適切に維持することが可能となる。この温度勾配を緩めるための具体的な構成の一つが、上記のような赤外線発生手段４１の配置である。この配置により、原料Ｍの内部における温度勾配を緩めることが可能となり、原料Ｍにおける溶融帯域Ｍｌを適切に制御できる。ひいては、良質な単結晶を製造することが可能となる。
【００４９】
ちなみに、赤外線発生手段４１の具体的な配置としては、原料Ｍの溶融帯域Ｍｌの水平方向から見て１０度〜２０度上方の位置に赤外線発生手段４１を配置するのが好ましい。
１０度以上ならば、溶融帯域Ｍｌが上方に移動しつつ単結晶が成長する際に、溶融帯域Ｍｌをある程度加熱し続けることが可能となり、温度勾配が緩くなる。その結果、結晶界面および小傾角粒界の発生が抑制され、結晶性が向上する。
２０度以下ならば、溶融帯域Ｍｌに対して適度に赤外線を集中することが可能となり、溶融帯域Ｍｌを適切に形成および制御することが可能となる。
【００５０】
また、回転楕円鏡４２の傾斜角は、赤外線発生手段４１の配置と同じく回転楕円鏡４２の中心軸を水平とした配置から天地方向の地の方向に向かって１０度〜２０度であるのが好ましい。１０度以上ならば、原料Ｍを溶融する際に原料Ｍに対する赤外線の直接照射を十分回避することが可能となり、温度勾配を緩やかにすることが可能となる。２０度以下ならば、後述する冷却具合調節部５によって赤外線が遮蔽され過ぎることがなくなる。別の言い方をすると、溶融帯域の内部における陰の部分を過剰に形成しなくて済む。
【００５１】
また、赤外線発生手段４１が、２．５ｋＷ以上のハロゲンランプ、または、デフォーカス自在な配置のキセノンアークランプであるのが好ましい。大出力でありながらも、原料Ｍに対し集光を甘くすることにより、温度勾配を緩やかにすることが可能となるためである。なお、赤外線発生手段４１における反射手段４２を溶融帯域Ｍｌの中心からデフォーカスさせるための機構は不図示としているが、当該機構を単結晶製造装置１に設けてももちろん構わない。
【００５２】
なお、本実施形態における単結晶製造装置１の内部の概略平面図である図４に示すように、本実施形態においては、反射手段４２として４つの回転楕円鏡４２ａ〜ｄを設けている。そして、各々の回転楕円鏡４２に対応する赤外線発生手段４１を、溶融帯域Ｍｌよりも天地方向の天の位置、かつ、回転楕円鏡４２の一方（上方）の焦点位置（Ｆ１）に配置している。もう一方（下方）の焦点位置（Ｆ０）には溶融帯域Ｍｌが存在している。ここでは４つの回転楕円鏡４２および赤外線発生手段４１を設けているが、もちろんそれ以外の数の回転楕円鏡４２および赤外線発生手段４１を設けても構わない。なお、赤外線発生手段４１に加え、レーザー光発生手段を、回転楕円鏡４２の下方に設けても構わない。レーザー光発生手段により、原料Ｍに対して、赤外線に加え、レーザー光を照射しても構わない。ターゲットスコープ（図に記載せず）を用い、溶融帯域Ｍｌに析出した固相に対してレーザー光を集中的に照射することで、原料Ｍを部分的に加熱し、溶融帯域Ｍｌに固相を再度溶け込ませることも可能となる。これにより、安定した単結晶の成長が可能となる。このため、レーザー光発生手段は、回転楕円鏡４２と同様に、溶融帯域Ｍｌに向けて傾斜角をつけて配置しても構わない。また、レーザー光発生手段として、上下、左右および傾斜角度の任意制御が可能な構造を採用しても構わない。ただ、レーザー光発生手段を備えた装置は高額となるため、基本的には赤外線発生手段４１のみが備えられており、オプションとしてレーザー光発生手段を備え付けることが可能な単結晶製造装置１とすることが好ましい。
【００５３】
１−Ｅ）冷却具合調節部５
本実施形態の大きな特徴点の一つとしては、冷却具合調節部５を設けていることがある。本実施形態における冷却具合調節部５は、天地方向に移動自在な赤外線の遮蔽筒５１を備え、かつ、原料把持部２にて把持される原料Ｍにおける少なくとも一部を遮蔽筒５１によって水平方向に包囲自在であり、かつ、当該遮蔽筒５１が、赤外線発生手段４１から放射される赤外線を遮蔽することにより溶融帯域Ｍｌの内部に陰の部分を形成し、当該溶融帯域の冷却具合を調節するものである。冷却具合調節部５の存在のおかげで、溶融帯域Ｍｌの内部からマイルドかつ迅速に冷却することが可能となる。その結果、溶融した原料の供給量を調節することが可能となり、マイルドな加熱および冷却を行うことの障害となっていた溶融帯域Ｍｌの維持に固執する必要がなくなる。
なお、ここで言う「冷却具合」とは、「冷却度合い」と「冷却位置」の両方の状況を包括した表現である。
【００５４】
上記の利点に加え、冷却具合調節部５の存在により、溶融帯域Ｍｌと原料Ｍとの間の接触を解きやすくなるというメリットもある。以下、先にも挙げた図２を用いて説明する。図２は、本実施形態における冷却具合調節部５により溶融帯域Ｍｌと原料Ｍとの間の接触を解きやすくする様子を示す概略説明図でもある。
【００５５】
図２（ｂ）には、冷却具合調節部５が存在するものの溶融帯域Ｍｌの水平方向に赤外線発生手段４１が存在する場合（特許文献３の場合）について例示している。この場合、溶融帯域Ｍｌの水平方向においては赤外線を遮るものが無いので、溶融帯域Ｍｌの内部における低温部分（斜線部分）はほとんど存在しなくなる。また、図２（ｃ）には、斜め上の方向からの赤外線の照射を行っているものの冷却具合調節部５が存在しない場合（特許文献４の場合）について例示している。この場合、赤外線を遮るものが無いので、溶融帯域Ｍｌの内部における低温部分（斜線部分）は原料Ｍｓ自身の陰の部分のみとなる。いずれも、溶融帯域Ｍｌの維持を必須条件としていた従来技術にとっては好ましい状態である。
その一方、図２（ａ）に示す本実施形態では、斜め上の方向から赤外線を照射しつつも冷却具合調節部５が存在しているため、溶融帯域Ｍｌの内部における低温部分が著しく大きくなる。従来技術にとっては全く好ましくない状態である。しかしながら、先に述べたように、本実施形態においては溶融帯域Ｍｌの維持に腐心する必要はない。むしろ、成長部分Ｍｃの形状を操作する際に必要あれば、溶融帯域Ｍｌと原料との間の接触を積極的に解き、接触が解かれた後の溶融帯域Ｍｌまたは冷却されて成長した成長部分Ｍｃに対して溶融した原料融液の液滴を供給しても構わない。冷却具合調節部５が存在することにより、低温部分が大きくなっていることから、溶融帯域Ｍｌと原料Ｍとの間の接触を解きやすい状態となっている。冷却具合調節部５は、結晶を成長させる方法のバリエーションを増やすのに一役買っている。これは従来技術には存在しない技術的思想である。
【００５６】
しかも、本実施形態における冷却具合調節部５のおかげで、１−Ｄ）加熱部４にて説明したように、斜め上の方向から赤外線が照射されるようにし、溶融帯域Ｍｌの内部に陰の部分を意図的に形成するという手法ならば以下の効果が得られる。図１（ｃ）に示すように、溶融帯域Ｍｌが崩れる前に迅速に、溶融帯域Ｍｌの大半を一旦冷却しつつ、当該溶融帯域Ｍｌまたはそれが成長した成長部分Ｍｃに対して溶融原料融液の液滴を自重（図中矢印）にて供給することにより、さらに結晶を成長させることが可能になる。
【００５７】
また、特許文献３や４のように温度勾配を急峻にするのとは反対に、斜め上の方向からの赤外線の照射によって赤外線発生手段４１と焦点Ｆ０に存在する溶融帯域Ｍｌとの間の距離に余裕をもたせてマイルドに原料を加熱することができ、しかも遮蔽筒５１によって陰を形成することにより溶融帯域Ｍｌの内部からマイルドかつ迅速に冷却することが可能となり、結果的に単結晶の質が著しく向上する。
【００５８】
それに加え、遮蔽筒５１の位置を調節することにより溶融帯域Ｍｌの内部の陰の部分の位置（冷却位置）および大きさ（冷却度合い）を調節することが可能となり、ひいては溶融帯域Ｍｌを構成する溶融原料の量を迅速に適量とすることが可能となる。こうすることにより、下方の種結晶Ｓへの溶融帯域Ｍｌの垂れを制御可能となり、しかも、溶融原料の量を適量とすることにより溶融帯域Ｍｌの形状も容易に操作可能となり、課題１で挙げたようなネッキングＭｃｎを確実に形成することが可能となる。
【００５９】
まとめると、上記の構成を採用することにより、溶融帯域Ｍｌを維持せずとも、溶融帯域Ｍｌを安定的に制御することが可能となる。そうなると、溶融帯域Ｍｌを維持することに腐心する必要が無くなる。その結果、固液界面の温度勾配を急峻にする必要がなくなる。つまり、従来のＦＺ法における制約を解除することが可能となる。そのような知見に基づき、斜め上の方向から赤外線が照射されるようにし、溶融帯域Ｍｌの内部に陰の部分を意図的に形成するという構成を、本発明者は採用した。これにより、原料に対する近距離からの赤外線照射を避けて成長部分Ｍｃへの過剰な加熱を防ぐことができる。しかも、あるときには遮蔽筒５１によって陰の位置となる冷却位置を設定した上で陰を大きく形成して固液界面の温度勾配を緩くする「冷却傾向」を作り出し、またあるときには、遮蔽筒５１により陰が殆ど形成されないように配置して冷却度合いをほぼゼロにした上で、溶融帯域Ｍｌを原料Ｍから分離した後に原料融液の液滴を自重にて供給する「過熱傾向」をも作り出すことができる。
【００６０】
仮に、溶融帯域Ｍｌを原料Ｍから分離する際に、予め冷却傾向を作り出して溶融帯域Ｍｌを冷却してある程度固化していないと、溶融帯域Ｍｌにおいて液滴が大きくなりすぎ、溶融原料の液滴の落下の衝撃で、溶融帯域Ｍｌの一部が垂れてしまうおそれもある。その一方、本実施形態における冷却具合調節部５のおかげで、上記の状況が生じないように陰の部分を作ることが可能となる。
そして、それに伴い、溶融帯域の形状を適切に保ったままネッキングＭｃｎの形成を可能とできる。
つまり、本実施形態においては、加熱部４および冷却具合調節部５のおかげで、ＦＺ法を用いながらも、「第１のパラメータである溶融帯域Ｍｌおよび原料Ｍ（融液）の温度」そして「第２のパラメータである溶融帯域の形状」を個別に制御し得る。これも、従来技術には存在しない技術的思想である。
【００６１】
上記のように、２つのパラメータを個別に制御し得ることは、ＦＺ法において単結晶を製造させる際の原料Ｍから単結晶Ｍｃへの組成の変化という観点から見ても、極めて好ましい。
【００６２】
先にも述べたように、ＦＺ法を用いた単結晶の製造においては、原料Ｍと種結晶Ｓとを接触させた上で加熱し、原料Ｍを融解させて溶融帯域Ｍｌを形成する。溶融帯域Ｍｌの段階で、雰囲気中のガスと原料Ｍとが反応して単結晶Ｍｃを構成するべき化合物が生成する。そして、溶融帯域Ｍｌが冷却されることにより当該化合物が析出し、成長部分（単結晶）Ｍｃが形成される。そのため、原料Ｍを溶融帯域Ｍｌへと変化させるにせよ、溶融帯域Ｍｌを成長部分Ｍｃへと変化させるにせよ、化学反応的な観点から見ると、温度変化をマイルドにするのが非常に好ましい。本実施形態の構成を採用することにより、溶融帯域Ｍｌの冷却具合を調節することが可能となり、第１のパラメータである溶融帯域Ｍｌおよび原料Ｍ（融液）の温度を制御することが可能となる。
【００６３】
しかも、それに加え、第１のパラメータを制御することにより、最終的に得るべき成長部分Ｍｃの組成を所望なものとなるように変化させることも可能である。例えば、単結晶Ｍｃを構成するべき化合物を生成する際に、冷却具合を調節することにより化学反応の進行度合い（例えば、どの程度酸化されているとか等）を調節することも可能となる。変化度合いを調節することにより、成長部分Ｍｃの融点も変化する。この融点の変化も考慮に入れた上で、上記の加熱部４および冷却具合調節部５を用い、第１のパラメータ、更には第２のパラメータである溶融帯域の形状を調節することも可能となる。
【００６４】
以下、冷却具合調節部５の具体的な構成について説明する。
図３に示すように、溶融帯域Ｍｌの上方にある原料Ｍの固体部分Ｍｓの周囲には遮蔽筒５１が配置される。遮蔽筒５１は上下方向への駆動機構５２に連結している。
そして、遮蔽筒５１は、天地方向において焦点Ｆ０と焦点Ｆ１との間に配置されるのが好ましい。ここで言う「焦点Ｆ０と焦点Ｆ１との間」とは、遮蔽筒５１の下端部が焦点Ｆ０と焦点Ｆ１との間に存在することを指す。このような配置にすることにより、溶融帯域Ｍｌにおける陰の部分を過度に形成せずに済む点で好ましい。また、この場合、焦点Ｆ０と焦点Ｆ１とを結ぶ直線よりも上方に遮蔽筒５１の下端部が配置されるようにするのが、赤外線発生手段４１からの直接照射を遮らずに加熱効率を向上させられる点で好ましい。なお、このことは、遮蔽筒５１が焦点Ｆ０と焦点Ｆ１との間でしか遮蔽筒５１が物理的に移動できないことを指すものではない。また、遮蔽筒５１の下端部が焦点Ｆ０より下方に存在した状態で赤外線の照射を行うことを妨げるものではない。
【００６５】
また、冷却具合調節部５は、原料把持部２に対して相対的に、天地方向へと移動可能な構成を有している。この構成を採用する理由としては３つの理由がある。
【００６６】
１つ目の理由としては、以下の通りである。まず、原料把持部２に把持された棒状の原料Ｍは、加熱部４により溶融し、溶融帯域Ｍｌを形成する。そして、原料把持部２と種結晶把持部３との間の距離が大きくなるように両者を移動させることにより、溶融帯域Ｍｌから単結晶Ｍｃが成長する。単結晶Ｍｃが続々と成長していくため、原料Ｍの固体部分Ｍｓは徐々に減っていく。そうなると、原料Ｍの天地方向の高さは徐々に減少することになる。もし、冷却具合調節部５が原料把持部２に対して相対的に移動できないと、単結晶Ｍｃの成長が進むと、原料Ｍが遮蔽筒５１に完全に隠れてしまい、原料Ｍの溶融を行うことができなくなってしまう。そのため、冷却具合調節部５は、原料把持部２に対して相対的に移動可能な構成を有する。
【００６７】
２つ目の理由としては、溶融帯域Ｍｌへの溶融原料の供給量の制御のためであり、ひいては溶融帯域Ｍｌを安定して制御するためである。もちろん、溶融帯域Ｍｌを維持することとは意味が異なり、溶融帯域Ｍｌと原料Ｍとの接触を解いても構わない。ここで言う制御には、接触を解いた後、溶融帯域Ｍｌが下方に垂れ落ちないように、溶融した原料Ｍの供給量を制御することも含まれるし、原料Ｍとの接触が解かれた溶融帯域Ｍｌまたは当該溶融帯域Ｍｌが冷却されて成長した結晶に対し、引き続き結晶を成長させるべく溶融した原料融液の液滴を供給する際の供給量を制御することも含まれる。
【００６８】
３つ目の理由としては、先に述べた溶融帯域Ｍｌと原料との間の切り離しにおいて、溶融帯域Ｍｌにおいてどの場所で切り離すかを調節するためである。こうすることにより、切り離す際の溶融帯域Ｍｌの形状を所望のものとすることが可能となる。そうなると、結晶を成長させる方法のバリエーションも増えるし、結晶を成長させる際の形状操作の自由度が増大する。
【００６９】
なお、上記の２つ目の理由と３つ目の理由の根幹には、斜め上の方向から赤外線が照射されるようにし、溶融帯域Ｍｌの内部に陰の部分を意図的に形成する際に、陰の部分の大きさや形状を操作することにより、溶融帯域Ｍｌ（ひいては成長部分）の形状を任意に操作できることがある。
【００７０】
もちろん、上記以外の構成であっても、単結晶製造装置１という用途に応じて適宜採用しても構わない。
【００７１】
＜２．単結晶製造方法＞
次に、本実施形態における単結晶製造装置１の操作手順について、図５を用いて説明する。図５は、本実施形態における単結晶製造方法の手順を示したフローチャートである。なお、以下の工程の内容は、＜１．単結晶製造装置１＞にて説明した内容と重複する部分もある。そのため、以下に記載が無い内容については、＜１．単結晶製造装置１＞にて説明した通りである。また、以下に記載が無い内容については、特許文献２〜４に記載の技術や公知の技術を適宜採用しても構わない。
【００７２】
また、以下の工程においては、発明を理解しやすくするために、単結晶製造装置１の各部または各手段を具体化したものについて述べる。もちろん、本発明は各部または各手段を具体化したものに限定されることはない。
【００７３】
２−Ａ）準備工程
まず、単結晶製造装置１に必要な各構成を、＜１．単結晶製造装置１＞にて説明したように配置する。また、上方に設けられた原料把持部２に棒状の原料Ｍを係合させ、下方に設けられた種結晶把持部３に棒状の種結晶Ｓを把持させる。つまり、原料Ｍと種結晶Ｓは互いに対向した配置となっている。そして、原料把持部２と種結晶把持部３とを近接させることにより、原料把持部２に把持された原料Ｍと種結晶把持部３に把持された種結晶Ｓとを近接させる。
【００７４】
２−Ｂ）加熱工程
次に、本工程においては、赤外線発生手段４１から発生させた赤外線を、原料Ｍに対して直接、および、回転楕円鏡４２により反射した上で原料Ｍに照射する。そうして、直接光および回転楕円鏡４２により集光された加熱光により、種結晶Ｓと対向する部分であって棒状の原料Ｍの下端を溶融する。その溶融部分に、多少溶融した種結晶Ｓの上端を接触させることで溶融帯域Ｍｌが形成される。
【００７５】
２−Ｃ）単結晶成長工程
本工程では、溶融帯域Ｍｌから単結晶を成長させる。本工程においては、天地方向において焦点Ｆ０と焦点Ｆ１との間の位置であって、原料把持部２にて把持される原料Ｍにおける少なくとも一部を水平方向に包囲するような位置に遮蔽筒５１を配置し、赤外線発生手段４１から照射される赤外線を遮蔽することにより溶融帯域Ｍｌの内部に陰の部分を形成し、当該溶融帯域Ｍｌの冷却具合を調節してネッキングＭｃｎを形成する。
具体的に言うと、種結晶把持部３における下部シャフト３２を下降させる。こうすることにより、溶融帯域Ｍｌが下方へと引き下げられる。しかし、溶融帯域Ｍｌの上方（成長部分Ｍｃ）は赤外線照射の焦点から徐々に外れて行き、成長部分Ｍｃの温度は緩やかに下降する。
【００７６】
ネッキングＭｃｎを形成自在な構成を採用するということは、ＦＺ法において重大な意味を持つ。特に、高品質かつ大口径の単結晶Ｍｃを製造する場合には、ネッキングＭｃｎを形成自在な構成を採用するということは、極めて重大な意味を持つ。
【００７７】
まず、ＦＺ法を採用することにより、るつぼを用いないで済む。そのため、不純物の混入の度合いを可能な限り減少させることができる。しかも、単結晶Ｍｃを形成する際に必要なガスの導入も容易に行うことができる。そのため、化学的に高純度な単結晶の製造が可能となる。
それに加え、本発明の課題にて述べたように、ネッキングＭｃｎの形成工程は、結晶成長初期に、更に成長部分Ｍｃの口径を著しく細くして結晶欠陥や転位を除去する役割を有する。
つまり、化学的に高純度な単結晶の製造が可能なＦＺ法に対し、ネッキングＭｃｎの形成を行うことは、効果を上乗せする形で、極めて高純度な単結晶を製造することが可能となり、ＦＺ法の持ち味を十二分に引き出すことが可能となる。
【００７８】
本実施形態の構成を採用すれば、第１のパラメータである温度、そして第２のパラメータである溶融帯域Ｍｌの形状、という２つのパラメータを調節することが可能となるため、ネッキングＭｃｎを比較的容易に形成することが可能となる。
【００７９】
ただ、本実施形態の構成がもたらす効果はそれだけにとどまらない。
ネッキングＭｃｎを形成した後、大口径の単結晶Ｍｃを製造する場合、溶融帯域Ｍｌの径を大きくしなければならない。従来だと、溶融帯域Ｍｌの径を急激に大きくし過ぎると、全てが液状の溶融帯域Ｍｌの形状が崩れて種結晶Ｓに融液が垂れてしまう。一方、溶融帯域Ｍｌの径の拡大があまりに遅すぎると、大口径にする途中の成長部分Ｍｃが無駄になってしまう。
ところが、本実施形態ならば、まず、原料の固体部分Ｍｓから溶融帯域Ｍｌに供給される溶融原料の量を、加熱部４および冷却具合調節部５によって調節することが可能である。さらに、溶融帯域Ｍｌが垂れないように、溶融帯域Ｍｌの内部に陰を作って溶融帯域Ｍｌを冷却し、溶融帯域Ｍｌを垂れにくくすることも可能である。
このように、本実施形態ならば、ネッキングＭｃｎの形成を比較的容易に行えることに加え、その後の大口径化も比較的容易に行うことが可能となる。しかも、先に述べたように、ＦＺ法と本実施形態の構成とのおかげで、極めて高純度な単結晶を製造することが可能となる。
【００８０】
話を元に戻すと、原料Ｍにおいては、溶融帯域Ｍｌから次々と単結晶Ｍｃが成長していくため、新たな溶融帯域Ｍｌを形成する必要がある。そのため、棒状の原料Ｍにおいて溶融帯域Ｍｌの上方にある固体部分Ｍｓを、赤外線の集光部分へと次々に移動させる必要がある。そのため、原料把持部２における上部シャフト２２を下降させる。しかし、この下降スピードは、溶融帯域Ｍｌから単結晶を次々と成長させていかなければならない関係上、種結晶把持部３の下部シャフト３２よりも小さくする。こうして、下方の種結晶把持部３（すなわち種結晶Ｓ）と上方の原料把持部２（すなわち原料Ｍの固体部分Ｍｓ）との距離は徐々に開いていく。本明細書ではこのことを「離間」と呼んでいる。
【００８１】
なお、棒状の原料Ｍが下方へと移動する関係上、遮蔽筒５１もそれとともに下方へと移動させる。但し、冷却具合調節部５の下降スピードは、原料把持部２の上部シャフト２２の下降スピードと一致させる必要はない。溶融帯域Ｍｌが所望の状態となるように、固体部分Ｍｓから溶融帯域Ｍｌへの溶融した原料の供給量を適宜調整しながら、冷却具合調節部５の下降スピードを調整すれば良い。
ところで、遮蔽筒５１と原料把持部２の上下移動は、共に連動させても構わない。また、陰の作り具合を一定にするために、両者を相対的に移動させても構わない。
【００８２】
これに伴い、＜１．単結晶製造装置１＞に関する内容であるが、種結晶把持部３、原料把持部２および冷却具合調節部５の上下移動およびそれらのスピードを制御部（不図示）により制御しても良い。
【００８３】
本工程においては、単結晶の品質向上のために、先に述べたネッキングＭｃｎを成長部分に対して形成する。
【００８４】
ネッキングＭｃｎを行うために、まず、図１（ａ）に示すように、小口径の種結晶に口径を合わせるように溶融帯域Ｍｌを形成する。この際、冷却具合調節部５は、固体部分Ｍｓからの溶融原料の供給量をほどほどに抑えるべく、比較的下方へと移動させ、溶融帯域Ｍｌの内部に陰の部分を大きく形成する。
【００８５】
次に、図１（ｂ）に示すように、ネッキングＭｃｎを形成し、更に成長部分の口径を著しく細くして結晶欠陥や転位を除去する。この際、冷却具合調節部５は、固体部分Ｍｓからの溶融原料の供給量を可能な限り抑えるべく、ネッキングＭｃｎを形成する箇所のほぼ水平位置ないしそのわずか上方の位置に至るくらい、下方へと移動させておく。そして、その直後、大口径（直径１ｍｍ以上、好ましくは４５ｍｍより大きい径、さらに好ましくは５０ｍｍ以上）の結晶を成長させるために、冷却具合調節部５を急いで上方へと移動させ、溶融帯域Ｍｌの内部に形成される陰の部分を小さくし、溶融原料の供給量を一気に増大させる。
【００８６】
なお、その後、図１（ｃ）に示すように、溶融帯域Ｍｌと原料Ｍの固体部分Ｍｓとの間の接触を解き、溶融帯域Ｍｌまたは溶融帯域Ｍｌが冷却されて成長した結晶に対し、液滴として溶融原料を供給し手も構わない。つまり、溶融帯域Ｍｌを無理に維持する必要はない。そして、所望の形状へと結晶を成長させる。
【００８７】
以上の工程を行うことにより、溶融帯域Ｍｌにおける成長部分Ｍｃが冷却され、例えば直径１ｍｍ以上の大口径の単結晶が形成可能である。そして、所定の量の単結晶が形成されれば、適宜必要な作業を行いつつ、単結晶の製造を終了する。
【００８８】
＜３．実施の形態による効果＞
本実施形態によれば、以下の効果を奏する。
【００８９】
まず、従来だと、赤外線ランプを使用するＦＺ法では「溶融帯域Ｍｌからの垂れ」が生じるおそれがあることが課題となっていた。そして、この垂れを生じさせないようにするために、溶融帯域と原料との界面、そして溶融帯域と種結晶との界面における温度勾配を急峻としていた。
【００９０】
しかしながら、本実施形態の手法を用いれば、斜め上の方向から赤外線が照射されるようにし、赤外線発生手段４１と焦点Ｆ０に存在する溶融帯域Ｍｌとの間の距離に余裕をもたせてマイルドに加熱することが可能になり、かつ、溶融帯域の内部に陰の部分を意図的に形成し、溶融帯域の内部からマイルドかつ迅速に冷却することが可能となる。
【００９１】
別の言い方をすると、あるときには遮蔽筒５１によって陰を大きく形成して固液界面の温度勾配を緩くする「冷却傾向」を作り出し、またあるときには、遮蔽筒５１により陰が殆ど形成されないように配置して冷却度合いをほぼゼロにした上で、溶融帯域Ｍｌを原料Ｍから分離した後に原料融液の液滴を自重にて供給する「過熱傾向」をも作り出すことができる。
【００９２】
仮に、溶融帯域Ｍｌを原料Ｍから分離する際に、予め冷却傾向を作り出して溶融帯域Ｍｌを冷却してある程度固化していないと、溶融帯域Ｍｌにおいて液滴が大きくなりすぎ、溶融原料の液滴の落下の衝撃で、溶融帯域Ｍｌの一部が垂れてしまうおそれもある。その一方、本実施形態における冷却具合調節部５のおかげで、上記の状況が生じないように陰の部分を作ることが可能となる。
そして、それに伴い、溶融帯域の形状を適切に保ったままネッキングＭｃｎの形成を可能とできる。
つまり、本実施形態においては、加熱部４および冷却具合調節部５のおかげで、ＦＺ法を用いながらも、「第１のパラメータである溶融帯域Ｍｌおよび原料Ｍ（融液）の温度」そして「第２のパラメータである溶融帯域の形状」を個別に制御し得る。
【００９３】
その結果、本実施形態により、本発明の課題で述べた課題に対応する効果を奏する。
（効果１）本実施形態の構成ならば、遮蔽筒５１の位置を調節することにより溶融帯域Ｍｌの内部の陰の部分を調節することが可能となり、ひいては溶融帯域Ｍｌを構成する溶融原料の量を迅速に適量とすることが可能となる。こうすることにより、下方の種結晶Ｓへの溶融帯域Ｍｌの垂れを制御可能となり、しかも、溶融原料の量を適量とすることにより溶融帯域Ｍｌの形状も容易に操作可能となり、ネッキングＭｃｎを確実に形成することが可能となる。その結果、大口径の良質な単結晶を製造することが可能となる。
【００９４】
（効果２）赤外線によるＦＺ法だと、単結晶の成長において、成長部分Ｍｃの温度勾配を緩やかにすることができ、良質の結晶育成が可能となる。
つまり、近年の要望である、単結晶に求められる品質のレベルを向上させるという要望、および、精密機器に求められる単結晶のサイズを大きくするという要望を、本実施形態により満たすことが可能となる。
【００９５】
以上の通り、本実施形態によれば、赤外線を用い、かつ、るつぼを用いないＦＺ法を採用しつつも、小口径から大口径に至るまでの結晶成長における溶融帯域Ｍｌの安定制御を可能とし、産業用途に適した大口径かつ長尺な高品質単結晶Ｍｃを製造可能とする。
【００９６】
＜４．先行技術文献と本発明との相違＞
従来技術として、本明細書においては特許文献３および４を挙げている。特許文献３には、溶融帯域の水平方向に赤外線ランプを配置しつつ、原料棒（上側）の周囲を包囲するように遮蔽壁を設けることが記載されている（図１の符号２２や［０００７］）。ただ、この遮蔽壁は、原料棒と溶融帯域との間の温度勾配を急峻にするためのものである。温度勾配を急峻にする理由としては、温度勾配が緩やかだと、溶融帯域の部分（液体的な部分）が大きくなってしまい、毛細管現象によって原料棒の細孔へと溶融帯域が染み込む可能性が大きくなってしまうからであると記載されている。
また、特許文献４には、赤外線が斜め上の方向から原料棒へ照射されることが記載されている（図４（ａ）や［００１８］［００１９］）。ただ、この構成は、種結晶側の固液界面の形状を凸状にしないようにするための手法である。また、この技術に関しても、原料棒と溶融帯域との間の温度勾配を急峻にすることを目的としている（［００１６］）。
【００９７】
以上の内容を見ても、本発明の課題の一つは、温度勾配を緩やかにすることを考えると、先行技術文献と本発明とでは、目的とするところが全く逆である。
【００９８】
それに加え、仮に、特許文献３に対して特許文献４を組み合わせようとして赤外線ランプを斜め上の方向に配置すると、溶融帯域の内部に陰が生じてしまう。
特許文献３において、原料棒への熱供給は、溶融帯域からのみの熱供給である（［０００７］）。そうなると、赤外線が原料棒を直射しなくなるため、原料棒が溶融しにくくなり、形成される結晶の歩留りが悪くなる。それに加え、溶融帯域へと真正面から光を照射させることがなくなるため、照射部分の温度が低下する。そうなると、自ずと原料棒における温度勾配が緩くなってしまう。これは、特許文献３が目的とするところと相反する。
【００９９】
一方、仮に、特許文献４に対して特許文献３を組み合わせようとして原料棒を包囲するように遮蔽壁を配置すると、図２（ｂ）に示すように、ただでさえ原料棒により陰ができている状況に追い打ちをかけるように、陰が大きくなってしまう。そうなると、自ずと原料棒における温度勾配が緩くなってしまう。これは、特許文献４が目的とするところと相反する。
【０１００】
以上の通り、特許文献３と４を組み合わせようとは、当業者では思わない。本発明は、溶融帯域の内部に意図的に陰を作り出しつつ、赤外線発生手段４１と焦点Ｆ０に存在する溶融帯域Ｍｌとの間の距離に余裕をもたせつつマイルドな加熱およびマイルドかつ迅速な冷却そうとする思想があるかこそ、「斜め上の方向からの赤外線の照射」および「遮蔽筒によって原料を包囲」を行っている。これは、当業者では容易に想到することができない技術的思想である。
【実施例】
【０１０１】
以下、本実施例について説明する。なお、本発明の技術的範囲は以下の実施例に限定されるものではなく、発明の構成要件やその組み合わせによって得られる特定の効果を導き出せる範囲において、種々の変更や改良を加えた形態も含む。以下に記載の無い構成や手法については、上記の実施形態または公知の文献に記載の技術を適宜使用しても構わない。
【０１０２】
＜実施例１＞
出力２．５ｋＷのハロゲンランプを備えた４個の回転楕円鏡４２ａ〜ｄを、原料Ｍの溶融帯域Ｍｌの水平方向から見て１５度上方の位置に配置し、かつ、回転楕円鏡４２の傾斜角は、回転楕円鏡４２の中心軸を水平とした配置から天地方向の地の方向に向かって１５度とした。そして、直径３ｍｍの種結晶Ｓと太さ１０〜１５ｍｍの棒状の原料Ｍを用意し、原料Ｍの周囲には直径内径２５ｍｍのアルミナ製の遮蔽筒５１を配置した。そして、酸素濃度１０〜９０％の窒素混合ガス中で酸化ガリウム単結晶Ｍｃの成長を行った。
【０１０３】
種結晶Ｓと原料Ｍを互いに逆方向に回転させ、加熱光の出力を増加させると、まず種結晶Ｓの上端が溶融した。この融液に原料Ｍを接触させると、融液を起点として原料は急激に溶融した。原料Ｍの過剰溶融を防ぐために加熱光出力と遮蔽筒５１の下端位置を適切に制御し、種結晶Ｓと原料Ｍとの間に適切な溶融帯域Ｍｌを形成した。
【０１０４】
溶融帯域Ｍｌが安定した後、種結晶Ｓと原料Ｍを下方に徐々に（双方とも１〜１０ｍｍ／ｈ）引き下げると、種結晶Ｓ上に新たに単結晶Ｍｃが成長し始めた。この時、種結晶Ｓ上に成長する結晶の直径は種結晶Ｓを配置した下側軸と原料Ｍを配置した上側軸の移動速度の相対速度により決まる。なお、一旦、直径を細くして結晶欠陥を除去するいわゆるネッキング工程も順調に行うことができた。この時、遮蔽筒５１の下端位置を適切に制御し、溶融帯域Ｍｌの形状を最適に保ったことは言うまでもない。
【０１０５】
上側軸の引き下げ速度を徐々に早くしていき、下側軸に比べたときの相対速度を大きくしていくと、溶融帯域Ｍｌに供給される原料Ｍの量は多くなり、溶融帯域Ｍｌの体積は大きくなっていく。このときも遮蔽筒５１の下端位置を適切に制御することにより、溶融帯域Ｍｌが垂れ下がる事も、原料Ｍと成長部分とが接触する不具合も発生しなかった。結晶径が大きくなるのに伴って大きくなる溶融帯域Ｍｌを維持するために、加熱光出力を増大し、遮蔽筒５１の下端を上方に上げ、多くの加熱光が溶融帯域Ｍｌに照射されるようにした。この時、種結晶Ｓ側固液界面は上方に移動した。
【０１０６】
結晶直径が原料直径より十分に大きくなると、表面張力だけで溶融帯域Ｍｌの維持は困難となり、原料側と溶融帯域Ｍｌとの間は切り離された。しかし、マイルドな冷却ができていること、それに加え、結晶直径が十分に大きいことから、溶融帯域Ｍｌの表面張力により融液が垂れ下がることはなかった。
【０１０７】
上下軸ともそのまま引き下げ続けたところ、原料融液は液滴状のまま溶融帯域Ｍｌに供給され続け、溶融帯域Ｍｌは被加熱部分（焦点Ｆ０）より引き下げられることにより単結晶Ｍｃとして固化し続けた。
【０１０８】
得られた単結晶Ｍｃは異物の混入もなく、亜粒界の発生もない良質な結晶で、直径も５０ｍｍ〜６０ｍｍの間で直胴も１００ｍｍの長さに至った。
【０１０９】
＜比較例１＞
出力２．５ｋＷのハロゲンランプを備えた４個の回転楕円鏡４２ａ〜ｄを、原料Ｍの溶融帯域Ｍｌの水平方向から見て３０度上方の位置に配置し、かつ、回転楕円鏡４２の傾斜角は、回転楕円鏡４２の中心軸を水平とした配置から天地方向の地の方向に向かって３０度とした。なお、特許文献４と同様、遮蔽筒５１は設けなかった。そして、直径３ｍｍの種結晶Ｓと太さ１０〜１５ｍｍの棒状の原料Ｍを用意した。そして、酸素濃度１０〜９０％の窒素混合ガス中で酸化ガリウム単結晶Ｍｃの成長を行った。
【０１１０】
種結晶Ｓと原料Ｍを互いに逆方向に回転させ、加熱光の出力を増加させると、まず種結晶Ｓの上端が溶融した。この融液に原料Ｍを接触させると、融液を起点として原料は急激に溶融した。原料Ｍの過剰溶融を防ぐために加熱光出力を制御したが、被加熱部分（焦点Ｆ０）に投影されるフィラメントの形状が大きいため、詳細な調整を行っても融液が再固化するか、溶融帯域Ｍｌを形成しても上下方向に過剰な長さを有していた。このため、単結晶Ｍｃ成長を開始する前に溶融帯域Ｍｌは垂れ下がり、単結晶Ｍｃ成長には至らなかった。
【０１１１】
＜比較例２＞
出力１．５ｋＷのハロゲンランプを備えた４個の回転楕円鏡４２ａ〜ｄを、原料Ｍの溶融帯域Ｍｌの水平方向から見て１５度上方の位置に配置し、かつ、回転楕円鏡４２の傾斜角は、回転楕円鏡４２の中心軸を水平とした配置から天地方向の地の方向に向かって１５度とした。なお、特許文献４と同様、遮蔽筒５１は設けなかった。そして、直径３ｍｍの種結晶Ｓと太さ１０〜１５ｍｍの棒状の原料Ｍを用意した。そして、酸素濃度１０〜９０％の窒素混合ガス中で酸化ガリウム単結晶Ｍｃの成長を行った。
【０１１２】
種結晶Ｓと原料Ｍを互いに逆方向に回転させ、加熱光の出力を増加させると、まず種結晶Ｓの上端が溶融した。この融液に原料Ｍを接触させると、融液を起点として原料は急激に溶融した。原料Ｍの過剰溶融を防ぐために加熱光出力を制御し、種結晶Ｓと原料Ｍとの間に溶融帯域Ｍｌを形成した。
【０１１３】
溶融帯域Ｍｌは不安定で、種結晶Ｓ周辺に微量に垂れ下がりながら急冷固化し、種結晶Ｓの上端部に単結晶Ｍｃを形成したものの、ネッキングＭｃｎの形成は不可能だった。その後、上下軸を下方に徐々に（例えば、双方とも１〜１０ｍｍ／ｈ）引き下げると、結晶上に新たに単結晶Ｍｃが成長し始めた。
【０１１４】
上側軸の引き下げ速度を徐々に早くしていき、下側軸との相対速度を早くしていくと、溶融帯域Ｍｌに供給される原料Ｍの量は多くなり、溶融帯域Ｍｌの体積は大きくなっていった。溶融帯域Ｍｌが垂れ下がる事がないよう、かつ、原料Ｍと成長部分とが接触する不具合が発生しないように、操作者が細心の注意を払い加熱光出力を制御しながら結晶を成長させた。この時点で、良質な単結晶Ｍｃが形成されるか否かが、操作者の熟練度に依存している。その後、結晶径が大きくなるのに伴って大きくなる溶融帯域Ｍｌを維持するために、操作者が加熱光出力を増大させた。原料Ｍ側の固液界面は結晶径の増加とともに相対的に上方に移動した。
【０１１５】
結晶直径が原料直径より十分に大きくなると、表面張力だけで溶融帯域Ｍｌの維持は困難となり、原料Ｍの固体部分Ｍｓと溶融帯域Ｍｌとの間は切り離された。このとき、マイルドな冷却はできていないと考えられるものの、結晶直径が十分に大きいため、溶融帯域Ｍｌの表面張力により融液が垂れ下がることはなかった。
【０１１６】
上下軸ともそのまま引き下げ続けたところ、原料融液は液滴状のまま溶融帯域Ｍｌに供給され続け、溶融帯域Ｍｌは被加熱部分（焦点Ｆ０）から外れるように引き下げられることにより単結晶Ｍｃとして固化し続けた。
【０１１７】
比較例２においても、実施例１と同様、原料側と溶融帯域Ｍｌとで切り離し自体は行った。確かに、得られた単結晶Ｍｃは異物の混入は無かったものの、結晶成長初期に生じた急冷固化ならびにネッキング工程が行えなかったために亜粒界が発生し低品質だった。得られた単結晶Ｍｃの直径は４０ｍｍ〜４５ｍｍの間にしか至らなかった。
【０１１８】
＜比較例３＞
出力１．５ｋＷのハロゲンランプを備えた４個の回転楕円鏡４２ａ〜ｄを、原料Ｍの溶融帯域Ｍｌの水平方向から見て３０度上方の位置に配置し、かつ、回転楕円鏡４２の傾斜角は、回転楕円鏡４２の中心軸を水平とした配置から天地方向の地の方向に向かって３０度とした。なお、特許文献４と同様、遮蔽筒５１は設けなかった。そして、直径３ｍｍの種結晶Ｓと太さ１０〜１５ｍｍの棒状の原料Ｍを用意した。そして、酸素濃度１０〜９０％の窒素混合ガス中で酸化ガリウム単結晶Ｍｃの成長を行った。
【０１１９】
種結晶Ｓと原料Ｍを互いに逆方向に回転させ、加熱光の出力を増加させると、まず種結晶Ｓの上端が溶融した。この融液に原料Ｍを接触させると、融液を起点として原料は急激に溶融した。原料Ｍの過剰溶融を防ぐために加熱光出力を制御し、種結晶Ｓと原料Ｍとの間に溶融帯域Ｍｌを形成した。
【０１２０】
溶融帯域Ｍｌは不安定で、種結晶Ｓ周辺に微量に垂れ下がりながら急冷固化し、種結晶Ｓの上端部に単結晶Ｍｃを形成したものの、ネッキングＭｃｎの形成は不可能だった。その後、上下軸を下方に徐々に（例えば、双方とも１〜１０ｍｍ／ｈ）引き下げると、結晶上に新たに単結晶Ｍｃが成長し始めた。
【０１２１】
上側軸の引き下げ速度を徐々に早くしていき、下側軸との相対速度を早くしていくと、溶融帯域Ｍｌに供給される原料Ｍの量は多くなり、溶融帯域Ｍｌの体積は大きくなっていった。溶融帯域Ｍｌが垂れ下がる事がないよう、かつ、原料Ｍと成長部分とが接触する不具合が発生しないように、操作者が細心の注意を払い加熱光出力を制御しながら結晶を成長させた。この時点で、良質な単結晶Ｍｃが形成されるか否かが、操作者の熟練度に依存している。その後、原料Ｍと結晶とが接触し、原料Ｍの回転がブレる事態が発生しやすくなった。溶融帯域Ｍｌを維持するために、操作者が加熱光出力を増大させた。原料Ｍ側の固液界面は結晶径の増加とともに相対的に上方に移動した。
【０１２２】
結晶直径が原料直径より十分に大きくなると、表面張力だけで溶融帯域Ｍｌの維持は困難となり、原料Ｍの固体部分Ｍｓと溶融帯域Ｍｌとの間は切り離された。このとき、マイルドな冷却はできていないと考えられるものの、結晶直径が十分に大きいため、溶融帯域Ｍｌの表面張力により融液が垂れ下がることはなかった。
【０１２３】
上下軸ともそのまま引き下げ続けたところ、原料融液は液滴状のまま溶融帯域Ｍｌに供給され続け、溶融帯域Ｍｌは被加熱部分（焦点Ｆ０）から外れるように引き下げられることにより単結晶Ｍｃとして固化し続けた。
【０１２４】
比較例３においても、実施例１と同様、原料側と溶融帯域Ｍｌとで切り離し自体は行った。確かに、得られた単結晶Ｍｃは異物の混入は無かったものの、結晶成長初期に急冷固化が生じたため、そして、ネッキング工程が行えなかったため、亜粒界が発生し低品質だった。得られた単結晶Ｍｃの直径は４０ｍｍ〜４５ｍｍの間にしか至らなかった。
【０１２５】
実施例および比較例においては酸化ガリウム単結晶Ｍｃの成長事例を挙げたが、本発明の単結晶Ｍｃ製造方法はもちろんこれに限定されない。また、実施例では単結晶Ｍｃ直胴部の成長を原料融液の液滴供給で行ったが、加熱光を制限するか遮蔽筒５１の下端位置をやや下側にて維持するかあるいはその両方の操作を精密に行うことで、やや結晶径は小さくなるものの、溶融帯域Ｍｌを維持したまま単結晶Ｍｃを成長させることができることは言うまでもない。
【符号の説明】
【０１２６】
１………単結晶製造装置
１１……石英炉心管
１２……下部シャフトフランジ
１３……上部シャフトフランジ
１４……雰囲気導入口
１５……雰囲気排出口
２………原料把持部
２１……原料ホルダー
２２……上部シャフト
３………種結晶把持部
３１……種結晶ホルダー
３２……下部シャフト
４………加熱部
４１……赤外線発生手段
４２……反射手段（回転楕円鏡）
５………冷却具合調節部
５１……遮蔽筒
５２……駆動機構
Ｍ………原料
Ｍｓ……固体部分
Ｍｌ……溶融帯域
Ｍｃ……成長部分（単結晶）
Ｓ………種結晶
【図１】
0006006191.tif 000002
【図３】
0006006191.tif 000003
【図４】
0006006191.tif 000004
【図５】
0006006191.tif 000005
【図２】
0006006191.tif 000006